(57)【要約】      （修正有）【課題】脚部を延長可能にするとともに折畳み可能にし、かつ、脚部の長さを調節する際、外周の基脚と中の延長脚との嵌合間隙を程よく減少させることによって延長脚を摺動し易くし、かつ、一旦脚部の長さを調節し、固定した後は”ガタつき”が無く、しかも、天板の揺れの無い折畳み机を提供することを目的とする。【解決手段】天板の裏面の四隅部に、基脚５を起立または折畳み可能に設け、かつ、基脚５に延長脚９が連結される折畳み机であって、基脚５は中空パイプ材からなり、基脚５の中空部に延長脚９が嵌入され、かつ、基脚５の略先端部にロックピンを設けるとともに、このロックピンによって延長脚９が基脚５に固設され、かつ、基脚５の外周面に所定長の凹み５８が形成されることを特徴とする折畳み机である。【選択図】図８
0003142960.tif 000002
【実用新案登録請求の範囲】
【請求項１】
天板の裏面の四隅部に、基脚を起立または折畳み可能に設け、
かつ、前記基脚に延長脚が連結される折畳み机であって、
前記基脚は中空パイプ材からなり、
前記基脚の中空部に前記延長脚が嵌入され、
かつ、前記基脚の略先端部にロックピンを設けるとともに、
このロックピンによって前記延長脚が前記基脚に固設され、
かつ、前記基脚の外周面に所定長の凹みが形成されることを特徴とする折畳み机。
【請求項２】
前側の左右前記基脚間において、前記所定長の凹み同士が対向するとともに、
後側の左右前記基脚間において、前記所定長の凹み同士が対向し、
かつ、前記基脚における所定長の凹みの背面と、前記延長脚の外周面との間に間隙を設けることを特徴とする請求項１記載の折畳み机。
【考案の詳細な説明】
【技術分野】
【０００１】
この考案は、机の高さを調節可能にするとともに脚部を折畳み可能にし、かつ、脚部の”ガタつき”又は天板の揺れの無い折畳み机に関する。詳しくは、脚の長さをワンタッチ操作により伸縮可能とし、使用目的に応じて机の高さを多段階に調節し、かつ、不使用時には脚を折り畳むことによって嵩高を減らしてコンパクトにすることによって、収納あるいは運搬を容易にした折畳み机に関し、しかも机の高さを調節し、固定した後、脚部の”ガタつき”又は天板の揺れの無い折畳み机関する。
【背景技術】
【０００２】
従来、事務机、座卓や経机等は通常は天板裏面に長さが固定した脚が設けられており、立ち机又は座り机として専用されている。しかしながら、このような固定脚を有する机は使用時には座りが安定しているが、机を使用しないときには脚の長さの分大きな収納スペースを必要とする。かかる収納スペースを確保できない団地等では、机の他収容すべき物を収納することができなくなったり、居住空間が狭められたりする。あるいは、机の運搬通路が狭い場合、机の嵩張るため机の脚を壁等にぶつけて脚や壁を傷付けるようなこともある。
【０００３】
このように、固定脚を有する机は片付ける場合には場所をとる。そこで脚を折畳む構造にし、あるいは脚を天板にネジ締め螺着し、かつ、螺着をゆるめて脚を外す。ところで、この種の構造のものでは、脚の付け根と天板との間に蝶番を設け、脚の折り倒し方向を互いに対抗する脚に向けた方向として内側に折り倒す。この場合、折り倒し方向の天板の長さが十分に長ければ、折り倒した対抗する脚同士が重なり合うことはないが、仮に天板の大きさに比し脚が長い場合、折り倒した脚が対抗する脚と重なり合うこととなるので折り倒すことが出来なくなる。また、折畳み机の場合、天板から下の四本脚の間が開放されるので、必要に応じて布切れ等を使って目隠しをするが見栄えが悪い。
【０００４】
ところで、折畳み机については数々の構造のものが提案されており、本件出願人も、先に、足の高さを固定した折畳み机に関する考案を提案している（例えば、特許文献１参照）。この折畳み机は、天板の裏面において、この天板の対向する長辺に沿って一対のケタを固設するとともに、これらのケタの両端近傍に高さを固定した脚を設け、かつ、これらの脚を折畳み又は起立可能に設けた折畳み机であって、前記脚と前記脚との間に着脱可能に幕板を跨設したことを特徴とする。更に、本件出願人は脚部の高さを伸縮可能にした折畳み机に関する考案を提案している（例えば、特許文献２参照）。この折畳み机は、天板の裏側に四本の基脚を夫々折畳み又は起立可能に設けた折畳み机であって、前記四本の基脚の略先端部に夫々ロックピンを設け、これらのロックピンによって前記四本の基脚に夫々延長脚を連結することを特徴とする。
【０００５】
【特許文献１】実用新案登録第３１３０８２３号公報
【特許文献２】実用新案登録第３１４１１２９号公報
【考案の開示】
【考案が解決しようとする課題】
【０００６】
以上の通りであって、特許文献１に代表されるように、従来の机には次のような問題点がある。
【０００７】
即ち、従来の机の問題点の第一は、固定脚を有する机は使用時には安定していが、机を使用しないときには大きな収納スペースを必要とし、たとえば事務所や店頭等における受付、あるいは、団地等では収納スペースが狭いので机の保管場所を確保するのが大変である。
【０００８】
第二に、従来の折畳み机は脚の長さが固定なので、立ち机又は座り机用として夫々の用途が限定される。また、天板から下方の四本脚の間が開放されるのでカウンター等で使用する場合は中が丸見えとなり好ましくない。
【０００９】
問題点の第三に、従来の折畳み机は脚部の長さを伸縮可能であるが、机の高さを調節した後、脚部の”ガタつき”によって筆記中に天板が揺れるので書き難い。この従来の折畳み机の構造の詳細は以下の通りである。四本の基脚の略先端部に夫々ロックピンを設け、これらのロックピンによって前記四本の基脚に夫々延長脚を連結するものである。この場合、基脚は中空パイプ材が使用されており、この基脚の空洞部に延長脚を嵌入して連結する構造なので、中空パイプ材からなる基脚における空洞部の内周面と中の延長脚の外周面との間に間隙が生じる。この間隙が大きければ延長脚を容易に伸縮できる反面、間隙が大きい分脚部に”ガタつき”が生じて天板が揺れる。一方、この間隙が小さい場合、”ガタつき”が無く机が揺れない半面、中の延長脚を摺動させ難い。即ち、この間隙は大きからず、小さからず程々の寸法が良いが規格の中空角パイプを使用するので適正な間隙寸法を得ることは困難である。例えば、基脚の中空角パイプの外辺寸法は２６ｍｍで、肉厚が１ｍｍの場合、内辺寸法は２４ｍｍである。一方、中空角パイプの延長脚の外辺寸法は２４ｍｍ弱である。従って、基脚の内辺と延長脚の外辺との間隙はゼロに近いので、基脚の断面内側に延長脚を嵌入できても、その中を摺動させることは困難である。
【００１０】
そこで、本考案の高さ調節可能な折畳み机は、このような従来の抱える問題点を解決するためになされたもので、脚部を延長可能にするとともに折畳み可能にし、かつ、脚部の長さを調節する際、外周の基脚と中の延長脚とが嵌合する時の間隙を程よく減少させることによって延長脚を摺動し易くし、かつ、一旦脚部の長さを調節し、固定した後は”ガタつき”が無く、しかも、天板の揺れの無い折畳み机を提供することを目的としている。そして、脚部を起こして天板の下方の脚間に幕板を着脱可能に設けることにより、幕板によって脚間の目隠しをし、かつ、幕板を外すとともに脚を折畳んで容易に収納できるようにした折畳み机を提供することを目的としている。
【課題を解決するための手段】
【００１１】
そこで、本考案者は、基脚の内周面とのこの中に嵌入する延長脚の外周面との間隙寸法を減少させることに着目し、そのためには中空パイプ材の外周面を凹ませる着想へと展開し、これに基づき机を試作したところ脚部の”ガタつき”又は天板の揺れの無い机が得られるという知見を得た。本考案者の高さ調節可能な折畳み机はかかる知見を基に具体化したもので、請求項１の考案は、天板の裏面の四隅部に、基脚を起立または折畳み可能に設け、かつ、前記基脚に延長脚が連結される折畳み机であって、前記基脚は中空パイプ材からなり、前記基脚の中空部に前記延長脚が嵌入され、かつ、前記基脚の略先端部にロックピンを設けるとともに、このロックピンによって前記延長脚が前記基脚に固設され、かつ、前記基脚の外周面に所定長の凹みが形成されることを特徴とする折畳み机である。また、請求項２の考案は、請求項１の考案の上記特徴に加えて、前側の左右前記基脚間において、前記所定長の凹み同士が対向するとともに、後側の左右前記基脚間において、前記所定長の凹み同士が対向し、かつ、前記基脚における所定長の凹みの背面と、前記延長脚の外周面との間に間隙を設けることを特徴とする折畳み机である。
【考案の効果】
【００１２】
本考案の高さ調節可能な折畳み机はワンタッチ操作のロックピンを基脚に設けることにより、一人作業によってでも脚部の長さを伸縮することが可能であり、使用目的に応じて机の高さを段階的に変えることができる。この場合、外の基脚と中の延長脚との間隙を適正な寸法にしたので、嵌入した延長脚を上下に摺動させ易く、天板の高さを調節し易い。しかも、脚部の高さを固定した後、脚部の”ガタつき”が少ないので天板の揺れが無く、書類に文字を書き易い。そして、不使用時には脚を折り畳むことによって嵩高を減らしてコンパクトにし、収納又は運搬を容易にする。また、折畳み机を立脚して使用する場合は天板の下の脚間を幕板によって目隠しできるので、事務所や店頭等におけるカウンターとして使用する場合に外観上見栄えが良く好ましい。また、不使用時に、収納する際は幕板を外し、かつ、脚を折畳むことができるので、保管場所の確保が容易である。詳しくは、机から幕板を外し、かつ、脚を折畳んで嵩高を減らし、これらをコンパクトにまとめて収納、又は持ち運びが容易である。一方、例えば国税局等の役所によっては、確定申告の時期を境にカウンター机の使用頻度に応じて、あるいは、カウンター机の経費節減のため、机をリースで借りるというニーズが高い。このような場合、不使用時の机の保管場所を必要とせず、かつ、経費削減の効果も期待できる。
【考案を実施するための最良の形態】
【００１３】
本考案の実施の形態を、添付図面に示した本考案の実施例に基づいて以下に具体的に説明
する。
【実施例】
【００１４】
先ず、実施例について、図１〜図９を参照しながら説明する。図１は、本考案における高さ調節可能な折畳み机の全体斜視図である。図２は、同上、側面図である。図３は、同上、天板表側から見た一部断面図である。図４は、同上、基脚に延長脚を継ぎ足す前の状態を示す一部斜視図である。図５は、同上、基脚に延長脚を連結した後の状態を示す一部斜視図である。図６は、同上、ロックピンの詳細を示す部品図である。図７は、同上、ロックピンの作用を示す説明図である。図８は、同上、前側の左右基脚に夫々延長脚を嵌入した状態を示す説明図である。図９は、同上、脚部に幕板を装着した状態を示す折畳み机の全体斜視図である。
【００１５】
本実施例の高さ調節可能な折畳み机の天板は脚の高さに比して比較的横幅が小さく、天板は長辺１８００ｍｍで短辺４５０ｍｍ又は短辺６００ｍｍが標準のサイズである。脚部を起立させた状態を図１に示すように、折畳み机Ｄは、長方形の木製の化粧板からなる天板１を有し、この天板１の裏面１１の四隅部に鉄製の基脚５を、天板１の裏側へ折畳み可能、かつ、起立可能に設ける。以下、折畳み机Ｄは天板１の長辺に沿って左右方向と称し、短辺に沿って前後方向と称する。天板１の裏面１１において、長辺に沿って棒状鉄製のケタ２、２を、夫々天板１と一体的に固設する。これらのケタ２の左右両端近傍に、コの字部品５１、５１を備える。そして、基脚５を内側へ折り曲げ可能にコの字部品５１下端にリベット５２を設ける。また、ケタ２と基脚５とを連結するステー３が設けられ、基脚５側にリベット５３とケタ２側にリベット２１とこれらの間にリベット３１を備える。即ち、ステー３は、リベット３１、２１、５３によって、これらのリベットを支点として回動するようにリンク機構として構成される。更に、天板１の裏側に棚４が長辺に沿って設けられ、両側のステー３、３のリベット３１、３１と連結する。折畳み机を立ち机として使用する時は、ステー３は真直ぐに突っ張ってケタ２と基脚５との間を直角に保持するように作用する。一方、折畳み机を折畳む時は、ステー３はリベット３１を中にして、くの字状に折れ曲がり、同時に基脚５はリベット５２を支点としてケタ２側へ折れ曲がる。本考案では、四本の基脚５の下方に夫々延長脚９を連結する。側方から見た図２からも判るように、夫々延長脚９はロックピン６を介して夫々の基脚５の先端に継ぎ足し連結される。これらの延長脚９によって脚部の長さが伸縮され、本考案の折畳み机Ｄの高さは９５０ｍｍ、９００ｍｍ及び７００ｍｍの三段階に調節される。なお、基脚５におけるロックピン６の上方に、幕板止め金具５５を設け、この金具に机の前方にＬ字状に突出したフック５５１を備える。この、幕板止め金具５５は、断面コの字形部材にフックを形成する加工を施し、これを基脚５に嵌め込んで溶接したものである。そして、後述する図９に示すように、前方に突出したフック５５１の部位に正面幕板７を装着する。折畳机Ｄの後側に備える幕板止め金具５５についても同様な使い方をする。
【００１６】
折畳み机Ｄを折畳んで積み重ねる際に、下段の天板１を傷付けることの無いように、基脚５の付け根に近い部位に緩衝パッキン５４を備える。また、天板１の短辺方向に基脚５、５間を補強するように、脚連結材５６、５６を上下二段に設ける。また、延長脚９の下方先端部に、水平の微調節用のアジャストボルト９７を夫々設ける。
【００１７】
本実施例の特徴とするところは、脚の長さを調節可能にするために延長脚を継ぎ足して机の高さを可変にすることにあり、その際延長脚を固定するために主要なロックピンの構成について図６を参照しながら説明する。中央の６図（ａ）は、ロックピン６を後述するスプリングに抗して伸長させた状態を示し、分割面Ｐを境にして左の基部６１と右の固着部６２が対面する。そして、これらの中を右方から太いノック棒６３ａが左方の一段細いノック棒基部６３ｂへと貫通している。細いノック棒基部６３ｂは左端部で止めネジ６６によって内方で基部６１に固設されている。一方、右方の固着部６２の先端はロックピン６を
基脚５に固設するためにネジ６４が刻まれている。なお、固着部６２に分割面Ｐ寄りにスパナ掛け６７を示し、内方にはスプリングが伸縮自在に設けられている。分割面ＰにおけるＣ−Ｃ矢示図を６図（ｂ）として左に示し、Ｅ−Ｅ矢示図を６図（ｃ）として右に示す。左の図（ｂ）では基部６１の中央に左右方向に窪んだ切欠き溝６８を設け、その中心に貫通するノック棒基部６３ｂを示す。右の６図（ｃ）では固着部６２の中央に前記切欠き溝６８とは直角方向にスパナ掛け６７を設け、この中央に貫通するノック棒基部６３ｂを示す。
【００１８】
以上に加えて、本考案の高さ調節可能な折畳み机には更に工夫を凝らしている。即ち、折畳み机Ｄの天板１の下方脚部を覆うために、前方に正面幕板と、左右に側面幕板を設ける。図９に正面に正面幕板７を示し、これは略矩形状の薄い木製の化粧板である。正面幕板７の長辺は略天板１の長辺と略同じ長さであり、短辺寸法は天板１の下方を覆うスペースによって決まる。図示のとおり、正面幕板７は左右前方の基脚５、５の下端部に設けた幕板止め金具５５の上に載置される。一方、左右に側面幕板８、８を示し、これらも略矩形状の薄い木製化粧板である。側面幕板８の短辺は、天板１の短辺と略同じ長さであり、長辺は天板１の下方を覆う高さスペースによって決まる。これらの側面幕板８、８も正面幕板７と同様に図示しない金具の上に載置される。
【００１９】
以上のように構成され、次に本実施の形態にかかわる高さ調節可能な折畳み机の組み立ておよび収納或いは本考案を構成する部材の作用ついて説明する。
【００２０】
先ず、脚部を継ぎ足して延長する手段について、図４及び５図を参照しながら説明する。図４には上方に基脚側と下方に延長脚側とを切り離して示し、図５に上下を連結した状態を示す。上方鉄製の基脚５は、天板１に折畳み、かつ、起立可能に設けられている。基脚５は中空角パイプ材からなり、この空洞部に一回り小さい中空角パイプ材からなる延長脚９を下方から挿入する。延長脚９の机の前後方向の外周面には、天板１の裏側のコの字部品５１に設けたリベット５２の部位を通過可能に逃げとなるスリット９４を設けている。このスリット９４の下方に上から穴９１、９２及び９３が穿孔され、夫々机の高さが９５０ｍｍ、９００ｍｍ及び７００ｍｍになるように位置決めされている。図５に示すように、上方の基脚の空洞部へ下方の延長脚を嵌入した後に、外周の基脚に内周の延長脚を固定するためにロックピン６が設けられる。なお、机の高さを調節する目安として、図１に示すように机の左右方向で基脚５の内側に、夫々三か所の矢印マーク９５が穴の下近くに刻まれている。この矢印マーク９５は、延長脚の表面の穴９１、９２、９３の近傍に目印として刻む他、矢印マークを描いた小片を貼着することでもよい。
【００２１】
次に、延長脚を継ぎ足し連結する際に、固定するためのロックピンの作用について説明する。図７は図２におけるＢ−Ｂ矢視断面で、外側の基脚５の空洞部へ延長脚９が嵌入され、その高さ位置決め前の状態を７図（ａ）に示し、位置決め後の状態を７図（ｂ）に示す。７図（ａ）において、左方はロックピン６の長手方向断面図、右方に空洞部の脚部高さ方向断面を示す。図示のように、外側の基脚５の外周面にナット６９が溶接、固設されており、このナット６９に左方からロックピン６の先端のネジ６４を締め付けることによってロックピン６が基脚５に固設される。この時、ロックピン６のスパナ掛け６７（図６に示す）にスパナを嵌めてナット６９にきつく締め付けるので、緩むことなくロックピン６は基脚５に螺着される。ロックピン６は後述するスプリングに抗して伸長した状態にある。即ち、ノック棒６３ａの先端部は外側の基脚５の穴５７を覗き、延長脚９の穴を貫通することなく境界面Ｐを境に左方の基部６１と右方の固着部６２とが突接した状態にある。詳しくは、図６（ｂ）に示した左方の基部６１先端面と、図６（ｃ）に示す右方のスパナ掛け６７先端面が突接している。この状態から、左方の基部６１を９０度回転させ、凹状の切欠き溝６８が右方の凸状のスパナ掛け６７に凸凹で噛み合う位置とする。この状態から、図７（ｂ）に示すように、内側の延長脚９を矢印Ｈ方向に上げると、穴９１の位置でノック棒６３ａがスプリング６５の付勢力で右方に飛び出し穴９１を貫通する。このようにして、延長脚９の位置が決まり、この穴９１にノック棒６３ａが貫通した場合天板の高さが９５０ｍｍに固定される。高さを変えるときは、図７（ａ）の状態まで左方の基部６１をスプリング６５に抗して伸長した状態に戻した後、延長脚９を矢印Ｈ方向に上げると穴９２、９３の位置でノック棒６３ａが右方に貫通して、夫々天板の高さが９００ｍｍ、７００ｍｍに位置決めされる。このように、延長脚９を矢印Ｈ方向に上げて穴９１、９２、９３がノック棒６３ａの位置に合うと付勢されたスプリング６５によってノック棒６３ａが夫々の穴に貫通して脚の長さが決まる。実際の作業の際は、天板の基脚側を下にして基脚５の空洞部へ、上方から延長脚９を挿入することにより、一人作業で脚の長さを調節することができる。スプリングの付勢力によってノック棒が延長脚の穴へ貫通するので、ロックピンのワンタッチ操作によって一人作業でも机の高さ調節をすることができる。
【００２２】
このような高さ調節の手順によって、三段階に机の高さを調節できる。従って立ち机として、或いは座り机としての用途を拡大することができる。高さ９５０ｍｍ、９００ｍｍの場合税務署窓口等での立ち机として使用とし、高さ７００ｍｍの場合は座り机として使用することができる。本実施例では、三段階の高さ調節を述べたが、延長脚を長くして、かつ、穴の数を増やして脚の長さを更に多段階に調節することも可能である。即ち、延長脚９にロックピン６を挿着する穴を追加、穿孔し、上述した中間の高さ８００ｍｍに調節することも可能である。
【００２３】
本実施例の折畳机は、リース物件として扱われることが多いので持ち運びが頻繁である。そのため、軽量化のため基脚、延長脚とも、中空材を使用する。中空パイプ材の基脚５の空洞部に延長脚９が嵌入され、延長脚９を上下に摺動させながら脚部の長さを調節し、これらをロックすることによって天板１の高さが決まる。そして、延長脚９を鉄製とした場合、外周面には硬質クロムメッキが施されている。このメッキを施すことによって、基脚５の中へ延長脚が挿着される際に双方の脚同士が擦れ合い、或いはノック棒６３ａの先端によって押圧されて傷付くことを防止できる。
【００２４】
外側の基脚５の内周面を延長脚９が摺動可能にするために、基脚５における空洞部の内辺と延長脚９の外辺との間には間隙を設ける。本実施例の中空角パイプ材からなる基脚５の外辺寸法は２６ｍｍであり、肉厚が１．２ｍｍなので、外側の基脚５の内辺寸法は２３．６ｍｍとなる。一方、内側の中空角パイプ材からなる延長脚９の外辺寸法は２２ｍｍである。従って、外側の基脚５の内辺寸法と内側の延長脚９の外辺寸法との間の片側間隙は０．８ｍｍとなる。この程度の間隙であれば、内外双方の間で摩擦を生じるたり摺れることなく延長脚９が容易に上下するが、内外双方の間隙のため”ガタつき”が生じて机全体が揺れるという問題がある。そこで、内外双方の間隙を減少させるために、中空角パイプからなる基脚５の外周側から内周側へ肉厚方向に押圧することによって、基脚５の外周面に凹み５８を形成する。その結果、基脚５の内周面が空洞側へ窪むので、基脚５と延長脚９との片側間隙寸法が０．８ｍｍから０．５  ｍｍへと減少される。延長脚９を上下に摺動可能とするためには、この程度の片側間隙寸法は、きつ過ぎず、ゆる過ぎずの適正な間隙寸法であり、かつ、天板１の揺れのためには適正な間隙寸法である。試行錯誤の上、このような間隙寸法にたどり着き、延長脚９と基脚５との間で”ガタつき”が少なく、かつ、天板の揺れの無い折畳み机が完成した。
【００２５】
以上述べた天板の揺れ防止対策について別の角度から、図８を参照しながら説明する。先に、図１で説明したように、折畳み机Ｄは天板１の長辺に沿って左右方向と称し、短辺に沿って前後方向と称する。折畳み机Ｄの前後方向は左右脚部の上方に脚連結材５６、５６が架設され、かつ、同様に下方に、前後方向に脚連結材９６、９６が架設される。従って、前後の脚部間はこれらの脚連結材によって補強されるので、天板１は前後に揺れない。しかしながら、左右方向は長尺のため脚部間は大きく、しかも、脚連結材による補強が無いので天板１が揺れる。図８では図１における左右のＡ−Ａ矢視断面を天板の下方に模式的に付加し、夫々前側の左脚部Ｌ及び前側の右脚部Ｒとして示した。夫々の脚部は基脚９が折畳み或いは起立可能に天板１に設けられ、これらの基脚５、５の中に延長脚９、９が嵌入されている。そして、中空角パイプ材からなる基脚５の外周面に所定長の凹み５８が上下方向に形成される。この時、凹み５８は基脚５の内周面が空洞側へ突出した状態に形成される。この凹み５８の背面側を延長脚９が上下に摺動しながら脚部の高さが調節され、所定の高さで内外の脚がロック、固定される。凹み５８が形成される、基脚５における外周面の辺の部位は、機能的には折畳み机Ｄの左右外側に向いた辺でもよいが、外観的な見栄えのうえから折畳み机Ｄの左右内側に向いた辺の方がよい。即ち、図示のように基脚５の凹み５８、５８が形成される四辺の部位は、左右の脚部間で対向するように設けられることが好ましい。この場合、上述したように、基脚５の凹み５８の背面と延長脚９の外周面との片側間隙Ｇ１の寸法が保持され、略０．５ｍｍとなる。反対側の片側間隙Ｇ２も略０．５ｍｍに保持される。一方、反対側の片側間隙Ｇ２も略０．５ｍｍに保持される。同様に、折畳み机Ｄの後側の左脚部Ｌ及び前側の右脚部Ｒの脚部間でも凹み５８、５８が夫々が対向するように形成されるとともに、凹み５８の背面と延長脚９の外周面との片側間隙も同程度の寸法が保持される。この程度の間隙Ｇ１、Ｇ２の寸法が保持されるなら延長脚９が上下に摺動し、かつ、脚部の”ガタつき”が少なくなり、天板１の揺れが無くなる。ここで、机の高さを調節する際、延長脚９がすべての高さ位置において必ず凹み５８の背面を摺動するように、凹み５８の高さ位置を決めることが”ガタつき”を少なくするうえで大事である。本実施例の折畳み机Ｄは、書類等を書く机として使用されることが多く、天板の揺れが無いので文字を書くうえで問題は無い。
【００２６】
その他に、折畳み机の組み立て作業についたては以下の通りである。図１に示す机の天板１を下にして基脚５が上になるように置く。先ず、ケタ２に折り重なっている四本の基脚５をリベット５２の部位を支点として回動して立てる。同時に、くの字状に折れ曲がったステー３をリベット３１の部位から直線状に伸ばしたところで、止めに、ステー３を突っ張って基脚５とケタ２との間を直角に保持する。次いで、基脚５とケタ２との間がロックされたことをステー３の真直具合によって目視で確認した後、天板１を上にして基脚５が下になるようにする。次に、正面幕板７を天板１の長辺に沿って基脚５、５の間に跨設する。正面幕板７の下方長辺を基脚５、５に設けたＬ字状の基金具５５、５５の上に載せる。図示しないマグネット等で鉄製の基脚に正面幕板を装着する。側面幕板８も必要に応じて基脚に正面幕板を装着する。このようにして、折畳み机Ｄの組み立てが完了し、図９に示す。
【００２７】
一方、折畳み机を分解して収納する場合は、基本的には以上と逆の手順によればよい。先ず、折畳み机Ｄの側面幕板８、８を基脚５から外し、同様に、正面幕板７も基脚５から外す。このようにして、正面幕板７、左右の側面幕板８、８が別体として分離され、かつ、折畳み机Ｄの四本の基脚５が内側へ折り曲げられ、しかも夫々の脚部は互いに重なることが無いので、折畳み机Ｄの嵩高を減らすことができる。必要に応じて延長脚９を基脚５から外し、分解してコンパクトにまとめることができるので、折畳み机Ｄは狭いスペースに収納することができる。あるいは、使用者がリースで一時的に借りた場合、車での運搬等が容易であり使い勝手が良い。
【００２８】
なお、本実施例では折畳机の軽量化のため基脚、延長脚とも、鉄、真鍮或いはステンレス等からなる中空角パイプ材を使用した。しかしながら多少重くはなるが、内側の延長脚は中空材でなくても軽いアルミニウム材等からなる中実の角材を使用することでも機能的に可能である。ただしこの場合、脚部の高さを固定するためのロックピン６の先端のノック棒６３ａの先端部が嵌るように、延長脚の外周面に穴９１、９２、９３を窪み状に形成する必要がある。
【産業上の利用可能性】
【００２９】
なお、本考案の高さ調節可能な折畳み机の使途は、事務所や店頭のカウンター等で使用する立ち机の他、会議で使用する座り机、座卓や経机やアイロン台や卓袱台台等の座位で使用する机として用途を拡大することができる。その他、デパート、スーパーマーケット等の店頭で、商品を陳列する棚として使用することもできる。この場合、本考案の折畳み机は高さを調節可能なので、前から後へ段々に高くした雛壇として使用することもできる。
【図面の簡単な説明】
【００３０】
【図１】本考案における高さ調節可能な折畳み机の全体斜視図である。
【図２】同上、側面図である。
【図３】同上、天板表側から見た一部断面図である。
【図４】同上、基脚に延長脚を継ぎ足す前の状態を示す一部斜視図である。
【図５】同上、基脚に延長脚を連結した後の状態を示す一部斜視図である。
【図６】同上、ロックピンの詳細を示す部品図である。
【図７】同上、ロックピンの作用を示す説明図である。
【図８】同上、前側の左右基脚に延長脚を嵌入した状態を示す説明図である。
【図９】同上、脚部に幕板を装着した状態を示す折畳み机の全体斜視図である。
【符号の説明】
【００３１】
Ｄ  折畳み机
Ｇ１、Ｇ２  間隙
Ｌ  左脚部
Ｒ  右脚部
Ｐ  分割面
１  天板
１１  裏面
２  ケタ
２１  リベット
３  ステー
３１  リベット
４  棚
４１  側棒
５  基脚
５１  コの字部品
５２、５３  リベット
５４  緩衝パッキン
５５  幕板止め金具
５５１  フック
５６  脚連結材
５７  穴
５８  凹み
６  ロックピン
６１  基部
６２  固着部
６３ａ  ノック棒
６３ｂ  ノック棒基部
６４  ネジ
６５  スプリング
６６  止めネジ
６７  スパナ掛け
６８  切欠き溝
６９  ナット
７  正面幕板
８  側面幕板
９  延長脚
９１、９２、９３  穴
９４  スリット
９５  矢印マーク
９６  脚連結材
９７  アジャストボルト
【図１】
0003142960.tif 000003
【図２】
0003142960.tif 000004
【図３】
0003142960.tif 000005
【図４】
0003142960.tif 000006
【図５】
0003142960.tif 000007
【図６】
0003142960.tif 000008
【図７】
0003142960.tif 000009
【図８】
0003142960.tif 000010
【図９】
0003142960.tif 000011